(57)【特許請求の範囲】
【請求項１】
商品を上下方向に積み上げて収納する商品通路を形成する左右に対向した側板と、前記側板間に形成された前記商品通路の下端に商品を払い出す商品搬出装置と、前記商品搬出装置と対向して設けられる通路規制板と、商品投入口から前記商品通路の上端まで商品を案内する投入商品案内板と、前記投入商品案内板が前記側板間に係止可能となるガイド棒を有するものにおいて、前記投入商品案内板の略両左右端の下方に前記商品投入口から前記商品通路に向いて設けられたＬ字形状の切起しと、前記投入商品案内板の前記Ｌ字形状の切起しの前記側板の反対側に下方に前記商品通路から前記商品投入口にむけて凸形状が大きくなっていく三角切起しを設け、前記投入商品案内板を前記商品投入口から前記商品通路方向にスライドし、前記投入商品案内板自体の弾性を利用して前記投入商品案内板下面と前記Ｌ字形状の切起しと前記三角切起し間に前記側板間に架設される前記ガイド棒が嵌入されて係止されたことを特徴とする自動販売機の商品収納装置。
【請求項２】
投入商品案内板のＬ字形状の切起しの側板の反対側に下方に商品通路から商品投入口にむけて凸形状が大きくなっていく三角切起しが複数設けられたことを特徴とする請求項１に記載の自動販売機の商品収納装置。
【請求項３】
商品を上下方向に積み上げて収納する商品通路を形成する左右に対向した側板と、前記側板間に形成された前記商品通路の下端に商品を払い出す商品搬出装置と、前記商品搬出装置と対向して設けられる通路規制板と、商品投入口から前記商品通路の上端まで商品を案内する投入商品案内板と、前記投入商品案内板が前記側板間に係止可能となるガイド棒を有するものにおいて、前記投入商品案内板の略両左右端の下方に前記商品投入口から前記商品通路に向いて設けられたＬ字形状の切起しと、前記投入商品案内板の前記Ｌ字形状の切起しの前記側板の反対側に下方に前記商品通路から前記商品投入口にむけて大きくなっていくテーパ付切起しを設け、前記投入商品案内板を前記商品投入口から前記商品通路方向にスライドし、前記投入商品案内板自体の弾性を利用して前記投入商品案内板下面と前記Ｌ字形状の切起しと前記テーパ付切起し間に前記側板間に架設される前記ガイド棒が嵌入されて係止されたことを特徴とする自動販売機の商品収納装置。
【請求項４】
投入商品案内板のＬ字形状の切起しの側板の反対側に下方に商品通路から商品投入口に
むけて大きくなっていくテーパ付切起しが複数設けられたことを特徴とする請求項３に記載の自動販売機の商品収納装置。
【請求項５】
投入商品案内板のＬ字形状の切起しの先端を商品通路に向けて曲げた先端曲げ部を構成したことを特徴とする請求項１から４のいずれか一項に記載の自動販売機の商品収納装置。
【請求項６】
投入商品案内板のＬ字形状の切起しの根元を商品通路に向けて曲げた根元曲げ部を構成したことを特徴とする請求項１から４のいずれか一項に記載の自動販売機の商品収納装置。
【発明の詳細な説明】
【技術分野】
【０００１】
本発明は、缶、瓶商品またはＰＥＴ容器の商品を販売する自動販売機の商品収納装置に関するものである。
【背景技術】
【０００２】
従来、この種の自動販売機の商品収納装置は、本体内部にサーペンタイン式の商品通路が前後方向に複数列設けられており、その商品通路には、缶、瓶またはＰＥＴ容器などの商品が横になった状態で縦列に収納され、これらの商品は商品通路の下端に設けられた商品搬出装置によって、販売指令にもとづいて販売されるようになっている（例えば、特許文献１参照）。
【０００３】
図１０は特許文献１に記載された従来の自動販売機の商品収納装置を示すものである。図１１は特許文献１に記載された従来の自動販売機の商品収納装置の投入商品案内板部の斜視分解図である。
【０００４】
図１０、図１１に示すように、商品の側面を水平にして商品を上下方向に収納する商品通路１と、商品通路１を形成する左右に対向する２つの側板２と、側板２間に形成される商品通路１の下端に商品を１本ずつ払い出す商品搬出装置３と、商品通路１を挟んで通路規制板４と、商品通路１の上端に商品を入れる商品投入口５と、商品投入口５から入れられた商品を商品通路１に案内するために設けられた投入商品案内板６が配置されている。
【０００５】
投入商品案内板６を支持するガイド棒７の両端面にフランジ部８が形成され、側板２には挿通溝９に連通するスリット状の切り込み１０ａにより弾性変形部１０が形成され、弾性変形部１０からガイド棒７の両端のフランジ部８を挿入し、挿通溝９の商品通路１外にフランジ部８がくるように取り付けられる。
【０００６】
投入商品案内板６とガイド棒７の係合は、投入商品案内板６の平面に略平行に組み付けられるＬ字状の弾性部材１１と、弾性部材１１と対向する位置で弾性部材１１が係合するガイド棒７を受けるように投入商品案内板６に設けられる凹溝１２とで構成され、弾性部材１１の弾性力を利用して、凹溝１２内に嵌入固定される。
【０００７】
以上のように構成された自動販売機の収納装置について、以下その設定を説明する。
【０００８】
太い商品を収容する際は、投入商品案内板６の前方を持ち、側板２の挿通溝９内のガイド棒７を手前に移動し、投入商品案内板６の後端と商品通路１間の寸法を大きく設定する。また、細い商品を収容する際は、投入商品案内板６の前方を持ち、側板２の挿通溝９内のガイド棒７を奥に移動し、投入商品案内板６の後端と商品通路１間の寸法を小さく設定する。
【特許文献１】特開２００１−２３０２５号公報
【発明の開示】
【発明が解決しようとする課題】
【０００９】
しかしながら、上記従来の構成では、投入商品案内板６とガイド棒７を係合するために、別部材の弾性部材１１を投入商品案内板６に組み付けるといった材料・製造コストが高くかかっているという課題を有していた。
【００１０】
本発明は、上記従来の課題を解決するもので、投入商品案内板に別部材を設けることなくガイド棒と係合固定でき、材料・製造コストが安価で、かつ、外れることなくスムーズに設定をすることができる構成の自動販売機の商品収納装置を提供することを目的とする。
【課題を解決するための手段】
【００１１】
上記従来の課題を解決するために、本発明の自動販売機の商品収納装置は、商品を上下方向に積み上げて収納する商品通路を形成する左右に対向した側板と、前記側板間に形成された前記商品通路の下端に商品を払い出す商品搬出装置と、前記商品搬出装置と対向して設けられる通路規制板と、商品投入口から前記商品通路の上端まで商品を案内する投入商品案内板と、前記投入商品案内板が前記側板間に係止可能となるガイド棒を有するものにおいて、前記投入商品案内板の略両左右端の下方に前記商品投入口から前記商品通路に向いて設けられたＬ字形状の切起しと、前記投入商品案内板の前記Ｌ字形状の切起しの前記側板の反対側に下方に前記商品通路から前記商品投入口にむけて凸形状が大きくなっていく三角切起しを設け、前記投入商品案内板を前記商品投入口から前記商品通路方向にスライドし、前記投入商品案内板自体の弾性を利用して前記投入商品案内板下面と前記Ｌ字形状の切起しと前記三角切起し間に前記側板間に架設される前記ガイド棒が嵌入されて係止されたものである。
【００１２】
これによって、投入商品案内板自身の弾性力でガイド棒と固定することができる。また、別部材の弾性体などを設ける必要がなく、投入商品案内板を１部品で構成することができ、かつ、スムーズに設定をすることができる。
【００１４】
また、三角切起しを複数設けることで、さらに確実に固定でき、外れることなくスムーズに設定をすることができる。
【００１５】
また、三角切起しの替わりに商品通路から商品投入口にむけて大きくなっていくテーパ付切起しを設けたことで、別部材の弾性体などを設ける必要がなく、投入商品案内板を１部品で構成することができ、かつ、外れることなくスムーズに設定をすることができる。
【００１６】
また、テーパ付切起しを複数設けることで、さらに確実に固定でき、外れることなくスムーズに設定をすることができる。
【００１７】
また、投入商品案内板のＬ字形状の切起しの先端を商品通路に向けて曲げた先端曲げ部を構成したことで、側板に設けた略Ｕ字形状溝とＬ字形状の切起しの先端が引っ掛ることなくスムーズに設定をすることができる。
【００１８】
また、投入商品案内板のＬ字形状の切起しの根元を商品通路に向けて曲げた根元曲げ部を構成したことで、側板に設けた略Ｕ字形状溝とＬ字形状の切起しの先端が引っ掛ることなくスムーズに設定をすることができる。
【発明の効果】
【００１９】
本発明の自動販売機の商品収納装置によれば、投入商品案内板に弾性体などの別部材を設ける必要がないので、組み付け作業が不要で簡単な構造で構成できる。
【発明を実施するための最良の形態】
【００２０】
請求項１に記載の発明は、商品を上下方向に積み上げて収納する商品通路を形成する左右に対向した側板と、前記側板間に形成された前記商品通路の下端に商品を払い出す商品搬出装置と、前記商品搬出装置と対向して設けられる通路規制板と、商品投入口から前記商品通路の上端まで商品を案内する投入商品案内板と、前記投入商品案内板が前記側板間に係止可能となるガイド棒を有するものにおいて、前記投入商品案内板の略両左右端の下方に前記商品投入口から前記商品通路に向いて設けられたＬ字形状の切起しと、前記投入商品案内板の前記Ｌ字形状の切起しの前記側板の反対側に下方に前記商品通路から前記商品投入口にむけて凸形状が大きくなっていく三角切起しを設け、前記投入商品案内板を前記商品投入口から前記商品通路方向にスライドし、前記投入商品案内板自体の弾性を利用して前記投入商品案内板下面と前記Ｌ字形状の切起しと前記三角切起し間に前記側板間に架設される前記ガイド棒が嵌入されて係止されたことにより、別部材などの組み付け作業が不要で簡単な構造で、投入商品案内板自身の弾性力でガイド棒と固定することができ、かつ、スムーズに設定をすることができる。
【００２２】
請求項２に記載の発明は、請求項１に記載の発明において、投入商品案内板のＬ字形状の切起しの側板の反対側に下方に商品通路から商品投入口にむけて凸形状が大きくなっていく三角切起しが複数設けられたことにより、別部材などの組み付け作業が不要で簡単な構造で構成でき、かつ、スムーズに設定をすることができる。
【００２３】
請求項３に記載の発明は、商品を上下方向に積み上げて収納する商品通路を形成する左右に対向した側板と、前記側板間に形成された前記商品通路の下端に商品を払い出す商品搬出装置と、前記商品搬出装置と対向して設けられる通路規制板と、商品投入口から前記商品通路の上端まで商品を案内する投入商品案内板と、前記投入商品案内板が前記側板間に係止可能となるガイド棒を有するものにおいて、前記投入商品案内板の略両左右端の下方に前記商品投入口から前記商品通路に向いて設けられたＬ字形状の切起しと、前記投入商品案内板の前記Ｌ字形状の切起しの前記側板の反対側に下方に前記商品通路から前記商品投入口にむけて大きくなっていくテーパ付切起しを設け、前記投入商品案内板を前記商品投入口から前記商品通路方向にスライドし、前記投入商品案内板自体の弾性を利用して前記投入商品案内板下面と前記Ｌ字形状の切起しと前記テーパ付切起し間に前記側板間に
架設される前記ガイド棒が嵌入されて係止されたことにより、別部材などの組み付け作業が不要で簡単な構造で構成でき、かつ、スムーズに設定をすることができる。
【００２４】
請求項４に記載の発明は、請求項３に記載の発明において、投入商品案内板のＬ字形状の切起しの側板の反対側に下方に商品通路から商品投入口にむけて大きくなっていくテーパ付切起しが複数設けられたことにより、別部材などの組み付け作業が不要で簡単な構造で構成でき、かつ、スムーズに設定をすることができる。
【００２５】
請求項５に記載の発明は、請求項１から４のいずれか一項に記載の発明において、投入商品案内板のＬ字形状の切起しの先端を商品通路に向けて曲げた先端曲げ部を構成したことで、組立時には側板に引っ掛ることなく簡易に取り付けられ、かつ、設定時には前記側板に設けた略Ｕ字形状溝とＬ字形状の切起しの先端が引っ掛ることなくスムーズに設定をすることができる。
【００２６】
請求項６に記載の発明は、請求項１から４のいずれか一項に記載の発明において、投入商品案内板のＬ字形状の切起しの根元を商品通路に向けて曲げた根元曲げ部を構成したことで、組立時には側板に引っ掛ることなく簡易に取り付けられ、かつ、設定時には前記側板に設けた略Ｕ字形状溝とＬ字形状の切起しの先端が引っ掛ることなくスムーズに設定をすることができる。
【００２７】
以下、本発明の実施の形態について、図面を参照しながら説明する。なお、この実施の形態によって本発明が限定されるものではない。
【００２８】
（実施の形態１）
図１は、本発明の実施の形態１における自動販売機の商品収納装置の斜視図である。図２は、同実施の形態における自動販売機の商品収納装置の投入商品案内板部構成の断面図である。図３は、同実施の形態における自動販売機の商品収納装置の投入商品案内板部構成の要部斜視分解図である。図４は、同実施の形態における自動販売機の商品収納装置の投入商品案内板部構成の要部下方斜視図である。図５は、同実施の形態における自動販売機の商品収納装置のガイド棒の略Ｕ字形状溝への取り付けの際の要部断面図である。図６は、同実施の形態における自動販売機の商品収納装置の投入商品案内板の取り付けの際の要部断面図である。図７（ａ）は、同実施の形態における三角切起しの要部斜視図、図７（ｂ）は、同実施の形態におけるテーパ付切起しの要部斜視図である。図８は同実施の形態における自動販売機の商品収納装置の投入商品案内板部構成の詳細断面図である。図９の（ａ）は同実施の形態におけるＬ字形状の切起しの先端曲げ部の要部斜視図、（ｂ）は同実施の形態におけるＬ字形状の根元曲げ部の要部斜視図である。
【００２９】
図１から図９において、商品収納装置は、側板２間に上下方向に蛇行したサーペンタイン式の商品通路１を前後方向に複数列形成し、各商品通路１の下端には商品通路１を挟んで商品搬出装置３と通路規制板４が設けられている。
【００３０】
商品通路１の上方には、前方から商品を入れる商品投入口５と、商品投入口５から入れられた商品を商品通路１に案内するために商品通路１に向かって傾斜し、略側板２と密接するように上方に凸となるよう断面が略コの字曲げで形成される投入商品案内板６が配置されている。
【００３１】
投入商品案内板６は、商品通路１の上端前方の側板２間に略水平に設けたピン１３と、商品投入口５近傍の左右側板２に設けられた略Ｕ字形状溝１４内を移動可能に略水平に設けたガイド棒７の上に設置され、ピン１３上を前後移動可能で上方に外れないように投入商品案内板６の下方に略平行になるようＺ曲げ１５が設けられ、ガイド棒７を側板２に略密接するように商品投入口５から商品通路１に向いて設けたＬ字形状の切起し１６と左右Ｌ字形状の切起し１６間に設けた下方に商品通路１から商品投入口５にむけて凸形状が大きくなっていく三角切起し１７の間に嵌入固定されるように設けることで、略Ｕ字形状溝１４内をガイド棒７が移動し、前後に投入商品案内板６が設定できるよう構成される。
【００３２】
ガイド棒７は薄肉板を円筒状に加工形成したもので、さらに、長手方向の両端部を両端から略３ｍｍ程度の位置から外周方向に径が大きくなるように略６０°のテーパが付いた径大部７ａを形成し、左右側板２に設けられた略Ｕ字形状溝１４を弾性変形させながら、商品通路１側より挿入し、両端の径大部７ａが側板２の商品通路１外に位置するよう構成される。
【００３３】
また、図９（ａ）に示すように、投入商品案内板６のＬ字形状の切起し１６の先端が側板２の反対側（商品通路側）に向くように略５°程度曲げられた先端曲げ部１６ａを構成している。
【００３４】
なお、図９（ｂ）に示すように、投入商品案内板６のＬ字形状の切起し１６の先端が側板２の反対側（商品通路側）に向くように略５°程度曲げられた根元曲げ部１６ｂを構成してもよい。
【００３５】
以上のように構成された自動販売機の商品収納装置の投入商品案内板６について、以下その組立を説明する。
【００３６】
ガイド棒７は左右側板２に設けられた略Ｕ字形状溝１４の折返し部１４ａにガイド棒７の両端の径大部７ａを当接しながら略Ｕ字形状溝１４の内側を構成する内縁部１４ｂを弾性変形させ、商品通路１側より挿入し、両端の径大部７ａが側板２の商品通路１外に位置するよう取り付けられる。
【００３７】
投入商品案内板６はＺ曲げ１５内にピン１３が位置するように前方より挿入し、そして、ガイド棒７を三角切起し１７とＬ字形状の切起し１６に当接させながらさらに挿入していき、投入商品案内板６の平面部６ａの弾性変形を利用し、三角切起し１７を上方に撓ませて三角切起し１７とＬ字形状の切起し１６間に嵌入され組み付けられる。
【００３８】
また、以上のように構成された自動販売機の商品収納装置の投入商品案内板６について、以下その設定を説明する。
【００３９】
太い商品を収容する際は、投入商品案内板６の前方を持ち、側板２の略Ｕ字形状溝１４内のガイド棒７を手前に移動し、投入商品案内板６の後端と商品通路１間の寸法を大きく設定する。また、細い商品を収容する際は、投入商品案内板６の前方を持ち、側板２の略Ｕ字形状溝１４内のガイド棒７を奥に移動し、投入商品案内板６の後端と商品通路１間の寸法を小さく設定する。この設定において、略Ｕ字形状溝１４をガイド棒７の少し大きめの全長同一幅で設定動作途中に余分な引っ掛りなく構成したことで設定動作がスムーズに実施できる。
【００４０】
以上のように本実施の形態においては、投入商品案内板６とガイド棒７の係止を投入商品案内板６の弾性を利用して別部材なくガイド棒７を嵌入固定する構成としたことにより、部品点数が削減でき、製造コストの削減ができる。
【００４１】
また、本実施の形態において、投入商品案内板６の略両左右端の下方に商品投入口５から商品通路１に向いて設けられたＬ字形状の切起し１６と、投入商品案内板６のＬ字形状の切起し１６の側板２の反対側に下方に商品通路１から商品投入口５にむけて凸形状が大きくなっていく三角切起し１７を設け、投入商品案内板６を商品投入口５側から商品通路１側にスライドし、投入商品案内板６下面とＬ字形状の切起し１６と三角切起し１７間にガイド棒７が嵌入されて係止する構成としたことにより、投入商品案内板６の平面部６ａの弾性変形を利用して容易に組み付けることができ、さらに、投入商品案内板６は、商品投入時、前後の設定時共に投入商品案内板６の平面部６ａが上方に押し上げられ三角切起し１７が上方に撓むことがないため、確実にガイド棒７と固定できる。
【００４２】
なお、本実施の形態では、Ｌ字形状切起し１６は商品通路１に向いて設けられたが、商品投入口５に向いて設けて、三角切起し１７を前後反転し、ガイド棒と係合する構成としても良い。
【００４３】
また、本実施の形態において、投入商品案内板６のＬ字形状の切起し１６の側板２の反対側に下方に商品通路１から商品投入口５にむけて凸形状が大きくなっていく三角切起し１７が複数設けられたことにより、ガイド棒７の固定力をさらに大きくすることができ、確実に固定できる。
【００４４】
また、本実施の形態において、投入商品案内板６のＬ字形状の切起し１６の側板２の反対側に下方に商品通路１から商品投入口５にむけて凸形状が大きくなっていく三角切起し１７の代わりに下方に商品通路１から商品投入口５にむけて大きくなっていくテーパ付切起し１８を設け、投入商品案内板６を商品投入口５側から商品通路１側にスライドし、投入商品案内板６下面とＬ字形状の切起し１６とテーパ付切起し１８間にガイド棒７が嵌入されて係止する構成としたことにより、投入商品案内板６の平面部６ａの弾性変形を利用して容易に組み付けることができて、さらに、投入商品案内板６は、商品投入時、前後の設定時共に投入商品案内板６の平面部６ａが上方に押し上げられテーパ付切起し１８が上方に撓むことがないため、確実にガイド棒７と固定できる。
【００４５】
なお、本実施の形態では、Ｌ字形状切起し１６は商品通路１に向いて設けられたが、商品投入口５に向いて設けて、テーパ付切起し１８を前後反転し、ガイド棒と係合する構成としても良い。
【００４６】
また、上記テーパ付切起し１８を複数設けたことにより、ガイド棒７の固定力をさらに大きくすることができ、確実に固定できる。
【００４７】
また、本実施の形態において、投入商品案内板６にＬ字形状の切起し１６を設けているが、さらに、前記Ｌ字形状の切起し１６の先端が側板２の反対側（商品通路側）に向かって略５°程度曲げられた先端曲げ部１６ａを構成することで、投入商品案内板６の組立時、及び、太いまたは細い商品を収容する際の設定時に、側板２に設けた略Ｕ字形状溝１４と前記Ｌ字形状の切起し１６の先端が引っ掛りなくスムーズに設定することができる。
【００４８】
また、本実施の形態において、投入商品案内板６にＬ字形状の切起し１６を設けているが、さらに、前記Ｌ字形状の切起し１６の根元が側板２の反対側（商品通路側）に向かって略５°程度曲げられた根元曲げ部１６ｂを構成することで、投入商品案内板６の組立時、及び、太いまたは細い商品を収容する際の設定時に、側板２に設けた略Ｕ字形状溝１４と前記Ｌ字形状の切起し１６の先端が引っ掛りなくスムーズに設定することができる。
【００４９】
なお、前記Ｌ字形状の切起し１６の先端に先端曲げ部１６ａを設け、さらにＬ字形状の切起し１６の根元に根元曲げ部１６ｂを設けてもよい。これにより、さらにスムーズに設定することができる。
【産業上の利用可能性】
【００５０】
以上のように本発明にかかる飲料自動販売機は多種類の缶飲料やペット飲料の自動販売機に対応でき商品収納装置の品質を向上させた自動販売機を提供できる。
【図面の簡単な説明】
【００５１】
【図１】本発明の実施の形態１における自動販売機の商品収納装置の斜視図
【図２】同実施の形態における自動販売機の商品収納装置の投入商品案内板部構成の断面図
【図３】同実施の形態における自動販売機の商品収納装置の投入商品案内板部構成の要部斜視分解図
【図４】同実施の形態における自動販売機の商品収納装置の投入商品案内板部構成の要部下方斜視図
【図５】同実施の形態における自動販売機の商品収納装置のガイド棒の略Ｕ字形状溝への取り付けの際の要部断面図
【図６】同実施の形態における自動販売機の商品収納装置の投入商品案内板の取り付けの際の要部断面図
【図７】（ａ）同実施の形態における三角切起しの要部斜視図（ｂ）同実施の形態におけるテーパ付切起しの要部斜視図
【図８】同実施の形態における自動販売機の商品収納装置の投入商品案内板部構成の詳細断面図
【図９】（ａ）同実施の形態におけるＬ字形状の切起しの先端曲げ部の要部斜視図（ｂ）同実施の形態におけるＬ字形状の根元曲げ部の要部斜視図
【図１０】従来の自動販売機の商品収納装置を示す図
【図１１】従来の自動販売機の商品収納装置の投入商品案内板部の斜視分解図
【符号の説明】
【００５２】
１    商品通路
２    側板
３    商品搬出装置
４    通路規制板
５    商品投入口
６    投入商品案内板
７    ガイド棒
１６  Ｌ字形状の切起し
１６ａ  先端曲げ部
１６ｂ  根元曲げ部
１７  三角切起し
１８  テーパ付切起し
【図８】
0005115287.tif 000002
【図９】
0005115287.tif 000003
【図１】
0005115287.tif 000004
【図２】
0005115287.tif 000005
【図３】
0005115287.tif 000006
【図４】
0005115287.tif 000007
【図５】
0005115287.tif 000008
【図６】
0005115287.tif 000009
【図７】
0005115287.tif 000010
【図１０】
0005115287.tif 000011
【図１１】
0005115287.tif 000012